(57)【要約】【課題】パルスの捕捉が完了するまでに多大の時間を要することがあった。【解決手段】信号中に一定の周期毎に含まれるパルスを捕捉すべく、任意の時刻である第１の時刻を起点として、前記パルスの長さに対応する一定の期間であるウィンドウ期間に、前記パルスの捕捉を試みる受信工程であり、前記一定の期間に前記パルスを捕捉することができなかったとき、前記第１の時刻から前記一定の周期の長さのｐ倍を経た第２の時刻から、実質的に前記ウィンドウ期間のｑ倍に相当する期間のｒ倍だけ進み又は遅れた第３の時刻を起点として、前記ウィンドウ期間に、前記パルスの捕捉を試みることをｒの漸増、及び、前記進み及び前記遅れの実質的な交互の実行によりにより行う前記受信工程を含む。【選択図】図１
2009077010.tif 000002
【特許請求の範囲】
【請求項１】
信号中に一定の周期毎に含まれるパルスを捕捉すべく、任意の時刻である第１の時刻を起点として、前記パルスの長さに対応する一定の期間であるウィンドウ期間に、前記パルスの捕捉を試みる受信工程であり、前記一定の期間に前記パルスを捕捉することができなかったとき、前記第１の時刻から前記一定の周期の長さのｐ倍（ｐは正の整数である定数）を経た第２の時刻から、実質的に前記ウィンドウ期間のｑ倍に相当する期間（ｑは１以上の整数である定数）のｒ倍（ｒは１以上の整数である変数）だけ進み又は遅れた第３の時刻を起点として、前記ウィンドウ期間に、前記パルスの捕捉を試みることをｒの漸増、及び、前記進み及び前記遅れの実質的な交互の実行により行う前記受信工程を含むことを特徴とする受信方法。
【請求項２】
アンテナと、制御回路と、受信回路と、を含み、
前記受信回路は、（１）前記アンテナが受信する信号中に一定の周期毎に含まれるパルスを捕捉すべく、前記制御回路により規定される、任意の時刻である第１の時刻を起点としての、前記パルスの長さに対応する一定の期間であるウィンドウ期間に、前記パルスの捕捉を試み、（２）前記一定の期間に前記パルスを捕捉することができなかったとき、前記制御回路により規定される、前記第１の時刻から前記一定の周期の長さのｐ倍（ｐは正の整数である定数）を経た第２の時刻から、実質的に前記ウィンドウ期間のｑ倍に相当する期間（ｑは１以上の整数である定数）のｒ倍（ｒは１以上の整数である変数）だけ進み又は遅れた第３の時刻を起点として、前記ウィンドウ期間に、前記パルスの捕捉を試みることをｒの漸増、及び、前記進み及び前記遅れの実質的な交互の実行により行うことを特徴とする受信装置。
【発明の詳細な説明】
【技術分野】
【０００１】
本発明は、一定の周期毎にパルスを含む信号を受信する受信方法及び当該受信方法を用いる受信装置に関する。
【背景技術】
【０００２】
従来の受信装置では、下記の特許文献１（図１１）に記載されているように、送信装置から送信される信号に一定の周期毎に含まれるパルスを捕捉すべく、即ち、送信装置及び受信装置間で同期を取るべく、パルスを捕捉するためのウィンドウ期間（当該受信装置が前記信号の復調及び復号を行うことができるようにオン状態になっている期間）のタイミングを少しずつずらしながら前記パルスの捕捉を試みる。
【０００３】
【特許文献１】特開２００６−１２１６０９号公報
【発明の開示】
【発明が解決しようとする課題】
【０００４】
しかしながら、上記した従来の受信装置では、前記パルスの捕捉の試みを開始したときの前記ウィンドウ期間の位置の如何によっては、前記パルスの捕捉が完了するまでに多大の時間を要することがあるという問題があった。
【課題を解決するための手段】
【０００５】
本発明は、上記した課題を解決すべく、以下の適用例により実現される。
【０００６】
［適用例１］
適用例１の受信方法は、
信号中に一定の周期毎に含まれるパルスを捕捉すべく、任意の時刻である第１の時刻を起点として、前記パルスの長さに対応する一定の期間であるウィンドウ期間に、前記パルスの捕捉を試みる受信工程であり、前記一定の期間に前記パルスを捕捉することができなかったとき、前記第１の時刻から前記一定の周期の長さのｐ倍（ｐは正の整数である定数）を経た第２の時刻から、実質的に前記ウィンドウ期間のｑ倍に相当する期間（ｑは１以上の整数である定数）のｒ倍（ｒは１以上の整数である変数）だけ進み又は遅れた第３の時刻を起点として、前記ウィンドウ期間に、前記パルスの捕捉を試みることをｒの漸増、及び、前記進み及び前記遅れの実質的な交互の実行により行う前記受信工程を含む。
【０００７】
［適用例２］
適用例２の受信装置は、
アンテナと、制御回路と、受信回路と、を含み、
前記受信回路は、（１）前記アンテナが受信する信号中に一定の周期毎に含まれるパルスを捕捉すべく、前記制御回路により規定される、任意の時刻である第１の時刻を起点としての、前記パルスの長さに対応する一定の期間であるウィンドウ期間に、前記パルスの捕捉を試み、（２）前記一定の期間に前記パルスを捕捉することができなかったとき、前記制御回路により規定される、前記第１の時刻から前記一定の周期の長さのｐ倍（ｐは正の整数である定数）を経た第２の時刻から、実質的に前記ウィンドウ期間のｑ倍に相当する期間（ｑは１以上の整数である定数）のｒ倍（ｒは１以上の整数である変数）だけ進み又は遅れた第３の時刻を起点として、前記ウィンドウ期間に、前記パルスの捕捉を試みることをｒの漸増、及び、前記進み及び前記遅れの実質的な交互の実行により行う。
【０００８】
適用例１の受信方法及び適用例２の受信装置によれば、前記第１の時刻を起点とする前記ウィンドウ期間で前記パルスの捕捉に失敗したとき、前記第１の時刻から前記一定の周期の長さのｐ倍を経た前記第２の時刻から、実質的に前記ウィンドウ期間のｑ倍に相当する期間のｒ倍だけ進み又は遅れた第３の時刻を起点として、前記ウィンドウ期間に、前記パルスの捕捉を試みることをｒの漸増、及び、前記進み及び前記遅れの実質的な交互の実行により、即ち、前記ウィンドウ期間の位置を前記第２の時刻に近い位置から遠い位置へ向けて順次遠ざけることにより、前記パルスの捕捉を初めて試みた前記第１の時刻の位置の如何に拘わらず、従来に比して、前記パルスの捕捉が完了するまでに要する時間を短縮することができる。
【０００９】
特に、例えば、当該受信装置と対向の送信装置との間で同期を確立することができた後に、当該同期が解除され、再び同期を取ろうとする場合には、前記送信装置及び前記受信装置間での位相のずれが決して大きくないことが多いことから、従来と異なり、上記したような、前記ウィンドウ期間の位置を前記第２の時刻に近い位置から遠い位置へ向けて順次遠ざけることにより、前記パルスの捕捉が完了するまでの所要時間を短くすることが可能となる。
【００１０】
さらに、適用例１の受信方法及び適用例２の受信装置では、ｑが２以上であるとき、前記パルスの捕捉を試みる一回当たりの期間が、ｑが１であるときに比較して長くなる（ｑ倍になる）ことから、ｑが１であるときに比して、消費電力を増大させることなく、前記パルスの捕捉が完了するまでの所要時間をより短縮することが可能となる。
【発明を実施するための最良の形態】
【００１１】
実施例の受信装置について図面を参照して説明する。
【００１２】
《実施例１》
〈構成〉
図１は、実施例１の受信装置の構成を示す。実施例１の受信装置ＲＸ１は、送信装置（図示せず。）から送信される、図２に示されるような、送受信号ＳＧ１中に一定の周期Ｔｘ毎に含まれるパルスＰ１、Ｐ２、Ｐ３、．．．を捕捉すべく、図１に示されるように、アンテナ１と、受信回路２と、局部発振回路（クロック発振回路）３と、分周回路４と、選択回路５と、ＯＮ／ＯＦＦタイミング制御回路６と、受信検出回路７とを含む。
【００１３】
アンテナ１は、前記送受信号ＳＧ１を受信すべく、例えば、ループアンテナから構成されている。
【００１４】
受信回路２は、前記アンテナ１の後段に設けられており、かつ、前記アンテナ１から前記送受信号ＳＧ１の入力を受け、当該送受信号ＳＧ１に含まれる前記パルスＰ１、Ｐ２、Ｐ３、．．．のうちのいずれかを捕捉すべく、即ち、前記送信装置との間で同期を取るべく、ＯＮ／ＯＦＦタイミング制御回路６からの制御信号ＣＴ１による制御の下、当該制御信号ＣＴ１により特定されるタイミングで、即ち、時刻ｔ１、ｔ２、ｔ３、．．．のときに、前記いずれかのパルスを、前記パルスＰ１、Ｐ２、Ｐ３、．．．の幅より僅かに長いウィンドウ期間Ｔｗであるウィンドウ期間Ｔｗ１、Ｔｗ２、Ｔｗ３、．．．の間だけ捕捉することを試み、換言すれば、受信回路２は、ウィンドウ期間Ｔｗ１、Ｔｗ２、Ｔｗ３、．．．以外の期間では、前記送受信号ＳＧ１を捕捉することを試みない（即ち、オフ状態になっている。）。受信回路２は、パルスを捕捉することができたときに限り、当該パルスと同一である捕捉信号ＡＣ１を出力する。
【００１５】
局部発振回路３は、例えば、水晶振動子（図示せず。）を有し、当該水晶振動子により規定される周波数を有する発振信号ＯＳ１を生成する。
【００１６】
分周回路４は、分周器等からなり、前記局部発振回路３から入力を受ける前記発振信号ＯＳ１を用いて、例えば、上記した一定の周期Ｔｘ、ウィンドウ期間Ｔｗの（＋１）倍である＋１Ｔｗ、ウィンドウ期間Ｔｗの（＋２）倍である＋２Ｔｗ、ウィンドウ期間Ｔｗの（−２）倍である−２Ｔｗを表す信号、換言すれば、位相（Ｔｘ）、位相（＋１Ｔｗ）、位相（＋２Ｔｗ）、位相（−２Ｔｗ）を生成する。
【００１７】
選択回路５は、前記分周回路４の後段に設けられており、前記分周回路４から出力される位相（Ｔｘ）、位相（＋１Ｔｗ）、位相（＋２Ｔｗ）、位相（−２Ｔｗ）を選択的に用いることにより、例えば、時刻ｔ１から位相（Ｔｘ＋１Ｔｗ）だけ離れた時刻ｔ２を起点とするウィンドウ期間であるウィンドウ期間Ｔｗ２を設けるべく、位相（Ｔｗ）及び位相（＋１Ｔｗ）を選択する。
【００１８】
選択回路５は、原理的には、図３（Ｂ）に示されるような、同一の方向に沿って位置が少しずつシフトされているウィンドウ期間Ｔｗ１、Ｔｗ２、Ｔｗ３、．．．を順次規定する従来の受信装置（特開２００６−１２１６０９号公報）と相違して、図３（Ａ）に示されるように、（１回目）まず、ウィンドウ期間Ｔｗ１を規定し（時刻ｔ１）、（２回目）ウィンドウ期間Ｔｗ１を規定した後に、当該ウィンドウ期間Ｔｗ１よりウィンドウ期間Ｔｗの長さ（幅）だけ進んだ位置にウィンドウ期間Ｔｗ２を規定し（時刻ｔ２）、（３回目）当該ウィンドウ期間Ｔｗ２を規定した後に、前記ウィンドウ期間Ｔｗ１よりウィンドウ期間Ｔｗの長さだけ遅れた位置にウィンドウ期間Ｔｗ３を規定し（時刻ｔ３）（４回目）前記ウィンドウ期間Ｔｗ３を規定した後に、前記ウィンドウ期間Ｔｗ１より２Ｔｗだけ進んだ位置にウィンドウ期間Ｔｗ４を規定し（時刻ｔ４）、（５回目）前記ウィンドウ期間Ｔｗ４を規定した後に、前記ウィンドウ期間Ｔｗ１より２Ｔｗだけ遅れた位置にウィンドウ期間Ｔｗ５を規定する（時刻ｔ５）、．．．のように、１回目のウィンドウ期間Ｔｗ１からウィンドウ期間Ｔｗのｒ倍（ｒは１以上の整数である変数）だけ進んだ位置又は遅れた位置に、ウィンドウ期間Ｔｗ２、Ｔｗ３、Ｔｗ４、Ｔｗ５、．．．を、ｒを漸増させつつ規定する。
【００１９】
ＯＮ／ＯＦＦタイミング制御回路６は、前記選択回路５の後段に設けられており、前記選択回路５から出力される前記位相（Ｔｘ）及び位相（＋１Ｔｗ）を用いて、時刻ｔ１から位相（Ｔｘ＋１Ｔｗ）だけ離れた時刻ｔ２を起点とするウィンドウ期間Ｔｗ２を生成することにより、前記受信回路２に、前記送受信号ＳＧ１中のいずれかのパルスの捕捉を試みさせる。
【００２０】
受信検出回路７は、受信回路２の後段に設けられており、当該受信回路２が、前記送受信号ＳＧ１に含まれるパルスＰ１、Ｐ２、Ｐ３、．．．のうちのいずれかを捕捉することができたか否かを判断し、捕捉することができたと判断したとき、例えば、図２に示されるように、受信回路２が、ウィンドウ期間Ｔｗ５のとき、パルスＰ５と同一である捕捉信号ＡＣ１を出力することにより、受信回路２がパルスＰ５を捕捉することができたと判断したとき、前記選択回路５に、上記したような位相（Ｔｘ）、位相（＋１Ｔｗ）、位相（＋２Ｔｗ）、位相（−２Ｔｗ）の選択動作を中止させ、その代わりに、選択回路５に、ウィンドウ期間Ｔｗ５以後、前記一定の周期Ｔｘ毎に、ウィンドウ期間Ｔｗ６、Ｔｗ７、．．．を規定させる。
【００２１】
〈動作〉
実施例１の受信装置の動作について図２のタイミングチャートを参照して説明する。
【００２２】
ステップＳ１：受信回路２は、ＯＮ／ＯＦＦタイミング制御回路６からの制御信号ＣＴ１による制御の下で、任意の時刻である時刻ｔ１のとき、ウィンドウ期間Ｔｗ１の間だけ、オン状態になり、即ち、送受信号ＳＧ１中のパルス、例えば、パルスＰ１の捕捉を試みる。
【００２３】
ステップＳ２：受信検出回路７は、受信回路２が前記ウィンドウ期間Ｔｗ１内にパルスＰ１を捕捉することができなかったことを検出すると、選択回路５に対し何らの通知を行わない。その結果として、選択回路５は、前記時刻ｔ１から位相（Ｔｘ＋１Ｔｗ）だけ離れた時刻ｔ２を起点とするウィンドウ期間Ｔｗ２の間だけ受信回路２を動作させるべく、即ちオン状態にすべく、分周回路４から出力される位相（Ｔｘ）及び位相（＋１Ｔｗ）を選択することにより、時刻ｔ２を規定する。
【００２４】
ステップＳ３：受信回路２は、時刻ｔ２のとき、ウィンドウ期間Ｔｗ２の間だけ、送受信号ＳＧ１中のパルス、例えば、パルスＰ２の捕捉を試みる。
【００２５】
ステップＳ４：受信検出回路７が、受信回路２が前記ウィンドウ期間Ｔｗ２内にパルスＰ２を捕捉することができなかったことを検出すると、ステップＳ２と同様にして、選択回路５は、前記時刻ｔ２から位相（Ｔｘ−２Ｔｗ）だけ離れた時刻ｔ３（換言すれば、時刻ｔ１から位相（Ｔｘ−１Ｔｗ）だけ離れた時刻ｔ３）を起点とするウィンドウ期間Ｔｗ３の間だけ受信回路２をオン状態にすべく、位相（Ｔｘ）及び位相（−２Ｔｗ）を選択することにより、時刻ｔ３を規定する。
【００２６】
ステップＳ５：受信回路２は、時刻ｔ３のとき、ウィンドウ期間Ｔｗ３の間だけ、送受信号ＳＧ１中のパルス、例えば、パルスＰ３の捕捉を試みる。
【００２７】
ステップＳ６：受信検出回路７が、受信回路２が前記ウィンドウ期間Ｔｗ３内にパルスＰ３を捕捉することができなかったことを検出すると、ステップＳ２、Ｓ４と同様にして、選択回路５は、前記時刻ｔ３から位相（Ｔｘ＋３Ｔｗ）だけ離れた時刻ｔ４（換言すれば、時刻ｔ１から位相（Ｔｘ＋２Ｔｗ）だけ離れた時刻ｔ４）を起点とするウィンドウ期間Ｔｗ４の間だけ受信回路２をオン状態にすべく、位相（Ｔｘ）、位相（＋１Ｔｗ）、位相（＋２Ｔｗ）を選択することにより、時刻ｔ４を規定する。
【００２８】
ステップＳ７：受信回路２は、時刻ｔ４のとき、ウィンドウ期間Ｔｗ４の間だけ、送受信号ＳＧ１中のパルス、例えば、パルスＰ４の捕捉を試みる。
【００２９】
ステップＳ８：受信検出回路７が、受信回路２が前記ウィンドウ期間Ｔｗ４内にパルスＰ４を捕捉することができなかったことを検出すると、ステップＳ２、Ｓ４、Ｓ６と同様にして、選択回路５は、前記時刻ｔ４から位相（Ｔｘ−４Ｔｗ）だけ離れた時刻ｔ５（換言すれば、時刻ｔ１から位相（Ｔｘ−２Ｔｗ）だけ離れた時刻ｔ５）を起点とするウィンドウ期間Ｔｗ５の間だけ受信回路２をオン状態にすべく、位相（Ｔｘ）、位相（−２Ｔｗ）を選択することにより、時刻ｔ５を規定する。
【００３０】
ステップＳ９：受信検出回路７は、受信回路２から出力される捕捉信号ＡＣ１により、受信回路２が前記ウィンドウ期間Ｔｗ５内にパルスＰ５を捕捉することができたことを検出すると、選択回路５に、時刻ｔ５の後には位相（Ｔｘ）毎に時刻ｔ６、時刻ｔ７、．．．を規定するように指示し、当該選択回路５は、当該指示に応答して、時刻ｔ５の後には位相（Ｔｘ）毎に時刻ｔ６、時刻ｔ７、．．．を規定する。
【００３１】
ステップＳ１０：受信回路２は、時刻ｔ５から位相（Ｔｘ）だけ離れた時刻ｔ６のとき、ウィンドウ期間Ｔｗ６の間に送受信号ＳＧ１中のパルスＰ６を捕捉し、即ち、同期を維持し、同様にして、時刻ｔ６から位相（Ｔｘ）だけ離れた時刻ｔ７のとき、ウィンドウ期間Ｔｗ７の間に送受信号ＳＧ１中のパルスＰ７を捕捉することにより、前記同期を維持する。
【００３２】
〈効果〉
上述したように、実施例１の受信装置ＲＸ１では、ウィンドウ期間Ｔｗ１の間だけ受信回路２をオン状態にした後、図２及び図３（Ａ）に示されるように、当該ウィンドウ期間Ｔｗ１から位相（Ｔｘ＋１Ｔｗ）だけ離れたウィンドウ期間Ｔｗ２、前記ウィンドウ期間Ｔｗ１から位相（Ｔｘ−１Ｔｗ）だけ離れたウィンドウ期間Ｔｗ３、前記ウィンドウ期間Ｔｗ１から位相（Ｔｘ＋２Ｔｗ）だけ離れたウィンドウ期間Ｔｗ４、前記ウィンドウ期間Ｔｗ１から位相（Ｔｘ−２Ｔｗ）だけ離れたウィンドウ期間Ｔｗ５、．．．のように、ウィンドウ期間Ｔｗ１を中心として、位相（Ｔｗ）の整数倍だけ離れたウィンドウ期間だけ順次受信回路２をオン状態にすることにより、送受信号ＳＧ１中に含まれるパルスＰ１、Ｐ２、Ｐ３、．．．のいずれかを捕捉することができるまでに費やされる所要時間を、従来に比して短縮することが可能となる。
【００３３】
特に、例えば、受信装置ＲＸ１と対向の送信装置との間で同期を確立することが一旦できた後に当該同期が解除された場合であって、再び同期を取ろうとするときには、前記送信装置及び当該受信装置ＲＸ１間での位相のずれが比較的小さいことが多いことから、上記したような、前記ウィンドウ期間Ｔｗ２、Ｔｗ３、Ｔｗ４、Ｔｗ５の位置を最初のウィンドウ期間Ｔｗ１に近い位置から遠い位置へ向けて順次遠ざけることにより、前記パルスの捕捉が完了するまでの所要時間を短くすることが可能となる。
【００３４】
《変形例１》
上記した実施例１の順序とは対照的に、図４に示されるように、ウィンドウ期間Ｔｗ１の間だけ受信回路２をオン状態にした後、当該ウィンドウ期間Ｔｗ１から位相（Ｔｘ−１Ｔｗ）だけ離れたウィンドウ期間Ｔｗ２、前記ウィンドウ期間Ｔｗ１から位相（Ｔｘ＋１Ｔｗ）だけ離れたウィンドウ期間Ｔｗ３、前記ウィンドウ期間Ｔｗ１から位相（Ｔｘ−２Ｔｗ）だけ離れたウィンドウ期間Ｔｗ４、前記ウィンドウ期間Ｔｗ１から位相（Ｔｘ＋２Ｔｗ）だけ離れたウィンドウ期間Ｔｗ５、．．．のような順序で受信回路２をオン状態にすることによっても、上記した実施例１と同様の効果を得ることが可能となる。
【００３５】
《変形例２》
上記した実施例１の順序と異なり、ウィンドウ期間Ｔｗ１の間だけ受信回路２をオン状態にした後、当該ウィンドウ期間Ｔｗ１から位相（Ｔｘ＋１Ｔｗ）だけ離れたウィンドウ期間Ｔｗ２、前記ウィンドウ期間Ｔｗ１から位相（Ｔｘ＋２Ｔｗ）だけ離れたウィンドウ期間Ｔｗ３、前記ウィンドウ期間Ｔｗ１から位相（Ｔｘ−１Ｔｗ）だけ離れたウィンドウ期間Ｔｗ４、前記ウィンドウ期間Ｔｗ１から位相（Ｔｘ−２Ｔｗ）だけ離れたウィンドウ期間Ｔｗ５、．．．のような順序で受信回路２をオン状態にすることによっても、上記した実施例１と同様の効果を得ることが可能となる。
【００３６】
《変形例３》
上記した変形例２の順序と対照的に、ウィンドウ期間Ｔｗ１の間だけ受信回路２をオン状態にした後、当該ウィンドウ期間Ｔｗ１から位相（Ｔｘ−１Ｔｗ）だけ離れたウィンドウ期間Ｔｗ２、前記ウィンドウ期間Ｔｗ１から位相（Ｔｘ−２Ｔｗ）だけ離れたウィンドウ期間Ｔｗ３、前記ウィンドウ期間Ｔｗ１から位相（Ｔｘ＋１Ｔｗ）だけ離れたウィンドウ期間Ｔｗ４、前記ウィンドウ期間Ｔｗ１から位相（Ｔｘ＋２Ｔｗ）だけ離れたウィンドウ期間Ｔｗ５、．．．のような順序で受信回路２をオン状態にすることによっても、上記した実施例１と同様の効果を得ることが可能となる。
【００３７】
《変形例４》
変形例４の受信装置ＲＸ１では、実施例１の受信装置ＲＸ１の動作の原理を示す図３（Ａ）と、変形例４の受信装置ＲＸ１の動作の原理を示す図５との比較から明らかなように、実施例１の位相（Ｔｘ）に代えて、より正確には位相（０）に代えて、位相（ｐ＊Ｔｘ）を中心にウィンドウ期間Ｔｗ２、Ｔｗ３、Ｔｗ４、Ｔｗ５、．．．を作成する（ｐは正の整数である定数。例えば、１／２、１／３、１／４。）。
【００３８】
より具体的には、例えば、ｐ＝１／２であることを想定すると、図６に示されるように、ウィンドウ期間Ｔｗ１の後には、ウィンドウ期間Ｔｗ１から位相（１／２＊Ｔｘ）だけ離れたウィンドウ期間Ｔｗ２に、３回目には、ウィンドウ期間Ｔｗ１から位相（１／２＊Ｔｘ＋１Ｔｗ）だけ離れたウィンドウ期間Ｔｗ３に、４回目には、ウィンドウ期間Ｔｗ１から位相（１／２＊Ｔｘ−１Ｔｗ）だけ離れたウィンドウ期間Ｔｗ４に、５回目には、ウィンドウ期間Ｔｗ１から位相（１／２＊Ｔｘ＋２Ｔｗ）だけ離れたウィンドウ期間Ｔｗ５に、６回目には、ウィンドウ期間Ｔｗ１から位相（１／２＊Ｔｘ−２Ｔｗ）だけ離れたウィンドウ期間Ｔｗ６のように、次々にウィンドウ期間Ｔｗ１、Ｔｗ２、Ｔｗ３、Ｔｗ４、Ｔｗ５、Ｔｗ６を作成する。このような変形例４の受信装置ＲＸ１によっても、上記した実施例１の受信装置ＲＸ１と同様の効果を得ることができる。
【００３９】
《実施例２》
〈構成〉
図７は、実施例２の受信装置の構成を示す。実施例２の受信装置ＲＸ１０は、図７に示されるように、アンテナ１０と、受信回路２０と、局部発振回路３０と、第１の分周回路４０ａと、第２の分周回路４０ｂと、選択回路５０と、ＯＮ／ＯＦＦタイミング制御回路６０と、受信検出回路７０とを含む。
【００４０】
実施例２のアンテナ１０、受信回路２０、局部発振回路３０、第１の分周回路４０ａ、選択回路５０、ＯＮ／ＯＦＦタイミング制御回路６０、及び受信検出回路７０は、実施例１のアンテナ１、受信回路２、局部発振回路３、分周回路４、選択回路５、ＯＮ／ＯＦＦタイミング制御回路６、及び受信検出回路７の構成及び機能と同一な構成及び機能を有し、また、実施例２の送受信号ＳＧ１０及び捕捉信号ＡＣ１０は、実施例１の送受信号ＳＧ１及び捕捉信号ＡＣ１に相当する。
【００４１】
他方で、第２の分周回路４０ｂは、図８に示されるように、制御信号ＣＴ１０により、図２に図示されたウィンドウ期間Ｔｗのｑ倍（ｑは１以上の整数である定数。例えば、２。）のウィンドウ期間Ｔｗ、即ち、実施例１のウィンドウ期間Ｔｗの２倍の長さを有するウィンドウ期間Ｔｗを規定する。
【００４２】
〈動作〉
実施例２の受信装置の動作について図８のタイミングチャートを参照して説明する。
【００４３】
ステップＳ２１：受信回路２０は、ＯＮ／ＯＦＦタイミング制御回路６０からの制御信号ＣＴ１０による制御の下で、任意の時刻である時刻ｔ１のとき、ウィンドウ期間Ｔｗ１の間だけ、送受信号ＳＧ１０中のパルスＰ１の捕捉を試みる。
【００４４】
ステップＳ２２：受信検出回路７０は、受信回路２０が前記ウィンドウ期間Ｔｗ１内にパルスＰ１を捕捉することができなかったことを検出すると、選択回路５０に対し何らの通知を行わない。その結果、選択回路５０は、前記時刻ｔ１から位相（Ｔｘ＋１Ｔｗ）だけ離れた時刻ｔ２を起点とするウィンドウ期間Ｔｗ２の間だけ受信回路２０をオン状態にすべく、第１の分周回路４０ａから出力される位相（Ｔｘ）及び位相（＋１Ｔｗ）を選択することにより、時刻ｔ２を規定する。
【００４５】
ステップＳ２３：受信回路２０は、時刻ｔ２のとき、ウィンドウ期間Ｔｗ２の間だけ、送受信号ＳＧ１０中のパルスＰ２の捕捉を試みる。
【００４６】
ステップＳ２４：受信検出回路７０が、受信回路２０が前記ウィンドウ期間Ｔｗ２内にパルスＰ２を捕捉することができなかったことを検出すると、ステップＳ２２と同様にして、選択回路５０は、前記時刻ｔ２から位相（Ｔｘ−２Ｔｗ）だけ離れた時刻ｔ３（換言すれば、時刻ｔ１から位相（Ｔｘ−１Ｔｗ）だけ離れた時刻ｔ３）を起点とするウィンドウ期間Ｔｗ３の間だけ受信回路２０をオン状態にすべく、位相（ＴＸ）及び位相（−２Ｔｗ）を選択することにより、時刻ｔ３を規定する。
【００４７】
ステップＳ２５：受信回路２０は、時刻ｔ３のとき、ウィンドウ期間Ｔｗ３の間だけ、送受信号ＳＧ１０中のパルスＰ３の捕捉を試みる。
【００４８】
ステップＳ２６：受信検出回路７０は、受信回路２０から出力される捕捉信号ＡＣ１０により、受信回路２０が前記ウィンドウ期間Ｔｗ３内にパルスＰ３を捕捉することができたことを検出すると、選択回路５０に、時刻ｔ３の後には位相（Ｔｘ）毎に時刻ｔ４、ｔ５、ｔ６、．．．を規定するように指示し、当該選択回路５０は、当該指示に応答して、時刻ｔ３の後には位相（Ｔｘ）毎に時刻ｔ４、ｔ５、ｔ６．．．を規定する。
【００４９】
ステップＳ２７：受信回路２０は、時刻ｔ３から位相（Ｔｘ）だけ離れた時刻ｔ４のとき、ウィンドウ期間Ｔｗ４の間に送受信号ＳＧ１０中のパルスＰ４を捕捉し、即ち、同期を維持し、同様にして、時刻ｔ４から位相（Ｔｘ）だけ離れた時刻ｔ５のとき、ウィンドウ期間Ｔｗ５の間に送受信号ＳＧ１０中のパルスＰ５を捕捉することにより、前記同期を維持する。受信回路２０は、以下、同様にして、同期を維持し続ける。
【００５０】
〈効果〉
上述したように、実施例２の受信装置ＲＸ１０では、実施例１のウィンドウ期間Ｔｗの２倍の幅を有するウィンドウ期間Ｔｗの間、受信回路２０をオン状態にすることにより、実施例１の受信装置ＲＸ１と同様の消費電力であるにも拘らず、実施例１の受信装置ＲＸ１に比して、同期を捕捉するまでに掛かる所要時間を短縮することが可能となる。
【図面の簡単な説明】
【００５１】
【図１】実施例１の受信装置の構成を示す図。
【図２】実施例１の受信装置の動作を示すタイミングチャート。
【図３】実施例１の受信装置及び従来の受信装置の動作の原理を示す図。
【図４】変形例１の受信装置の動作を示すタイミングチャート。
【図５】変形例４の受信装置の動作の原理を示す図。
【図６】変形例４の受信装置の動作を示すタイミングチャート。
【図７】実施例２の受信装置の構成を示す図。
【図８】実施例２の受信装置の動作を示すタイミングチャート。
【符号の説明】
【００５２】
ＲＸ１…受信装置、２…受信回路、３…局部発振回路、４…分周回路、５…選択回路、６…ＯＮ／ＯＦＦタイミング制御回路、７…受信検出回路。
【図１】
2009077010.tif 000003
【図２】
2009077010.tif 000004
【図３】
2009077010.tif 000005
【図４】
2009077010.tif 000006
【図５】
2009077010.tif 000007
【図６】
2009077010.tif 000008
【図７】
2009077010.tif 000009
【図８】
2009077010.tif 000010